(57)【特許請求の範囲】
【請求項１】
第１光学素子を保持し、光軸方向に延びる複数の延出部を有する第１保持部材と、
第２光学素子を保持する第２保持部材と、
前記複数の延出部と前記第２保持部材とを結合させるとともに結合途中にて前記両保持部材の相対位置の変更を許容する複数の結合部材と、
前記各結合部材と前記第２保持部材との間に配置され、少なくとも前記結合部材による前記両保持部材の結合途中にて前記第２保持部材を前記第１保持部材に対して押圧付勢する複数の付勢部材と、
前記複数の延出部に対して取り付けられる１つの部材であって、前記各延出部の変形に対する補強を行う補強部材とを有することを特徴とする光学素子保持装置。
【請求項２】
前記結合部材が、前記両保持部材を締め付けにより結合させるビスであることを特徴とする請求項１に記載の光学素子保持装置。
【請求項３】
前記付勢部材が、前記ビスの軸回りに配置された環状部材であることを特徴とする請求項２に記載の光学素子保持装置。
【請求項４】
前記補強部材を、前記複数の結合部材と前記複数の延出部との間に配置したことを特徴とする請求項１から３のいずれか１つに記載の光学素子保持装置。
【請求項５】
前記付勢部材を、前記各結合部材と前記補強部材との間に配置したことを特徴とする請求項１から３のいずれか１つに記載の光学素子保持装置。
【請求項６】
前記補強部材を、前記複数の結合部材と前記第２保持部材との間に配置したことを特徴とする請求項１から５のいずれか１つに記載の光学素子保持装置。
【請求項７】
前記補強部材は、前記第１保持部材に対する光軸直交面内での移動が阻止されていることを特徴とする請求項１から６のいずれか１つに記載の光学素子保持装置。
【請求項８】
第１光学素子を保持し、光軸方向に延びる複数の延出部を有する第１保持部材と、
第２光学素子を保持する第２保持部材と、
前記複数の延出部と前記第２保持部材とを結合させるとともに結合途中にて前記両保持部材の相対位置の変更を許容する複数の結合部材と、
前記複数の延出部に対して取り付けられる１つの部材であって、前記各延出部の変形に対する補強を行う補強部材とを有することを特徴とする光学素子保持装置。
【請求項９】
第１光学素子を保持すると共に、光軸方向へ延び、それぞれが第１ビス穴を有する複数の延出部を備える第１保持部材と、
第２光学素子を保持すると共に、前記複数の延出部のそれぞれが有する第１ビス穴に対応する位置に第２ビス穴を有するフランジ部を備える第２保持部材と、
前記第２保持部材に関して前記第１保持部材とは反対側に配置され、前記第１保持部材と前記第２保持部材をビス止めする複数のビスと、
前記複数のビスのそれぞれと前記第２保持部材との間に配置され、前記第２保持部材を前記第１保持部材に対して押圧付勢する複数の付勢部材と、
前記複数のビスに対応する複数箇所に第３ビス穴を有し、前記複数の延出部に対して取り付けられる１つの部材であって、前記各延出部の変形に対する補強を行う補強部材とを有することを特徴とする光学素子保持装置。
【請求項１０】
請求項１から９のいずれか１つに記載の光学素子保持装置を用いたことを特徴とする光学機器。
【発明の詳細な説明】
【０００１】
【発明の属する技術分野】
本発明は、光学素子保持装置に関し、さらに詳しくは、例えば一眼レフカメラ用交換レンズ等の光学機器における製造誤差に起因する複数の光学素子（レンズ等）の光軸ずれによって発生する性能劣化を修正するために、製造過程で行なう光学素子の光軸ずれ修正（複数の光学素子の光軸直交方向の相対位置の変更）に適した光学素子保持装置に関するものである。
【０００２】
【従来の技術】
上記のような光学素子保持装置は従来一般的に用いられている。以下、その代表的な構成および光軸ずれの修正方法を説明する。
【０００３】
図３には、従来の一眼レフカメラ用交換レンズの一部を構成する光学素子保持装置を示している。この図において、１は案内筒で、フィルム面に対して定位置に保持されている。この案内筒１には、光軸方向に延びる案内溝１ａが形成されている。
【０００４】
２はカム筒で、案内筒１の外径に光軸回りでの回転のみが可能に嵌合保持されている。このカム筒２には、カム溝２ａが形成されている。
【０００５】
３は第１レンズ５を保持する第１鏡筒で、その外径部にて案内筒１の内径に嵌合している。また、この第１鏡筒３には、案内溝１ａおよびカム溝２ａに係合するコロ４がビス止めされている。これにより、カム筒２を光軸回りで回転させると、コロ４が案内溝１ａとカム溝２ａとの交点にて従動し、第１鏡筒３は光軸方向に移動する。
【０００６】
６は第２レンズ７を保持する第２鏡筒で、第１鏡筒３の光軸方向後方に延びるアーム部の後端面に当接し、ビス９によって上記アーム部にビス止めされている。これにより、第１鏡筒３が光軸方向に移動すると、第２鏡筒６も一体となって移動する。
【０００７】
このような構成の光学素子保持装置では、第１鏡筒３と第２鏡筒６の間には光軸直交方向に関して厳密な位置決めを行っておらず、一定範囲の中で概略の位置だけが決まるようになっている。これにより、第１鏡筒３に対する第２鏡筒６の光軸直交方向位置を変更調整することにより、各部品の製造誤差による第１レンズ５と第２レンズ７の光軸ずれ（偏芯）を修正して組み立てることができる。
【０００８】
次に、上記光学素子保持装置の製造工程における光軸ずれ修正方法について説明する。調整に際しては、ビス９による第２鏡筒６と第１鏡筒３のビス止め前の状態で案内筒１を不図示の調整治具本体に固定するとともに、調整リング８ａ、付勢リング８ｂおよび付勢ばね８ｃからなる調整治具８をセットする。この状態で、調整リング８ａは第２鏡筒６のレンズ保持部外径に嵌合するとともに、調整治具本体に対して光軸直交方向に移動可能となっている。付勢リング８ｂは調整リング８ａの内径に嵌合しており、調整リング８ａとの間に配置された付勢ばね８ｃによって第２鏡筒６に向けて付勢されている。
【０００９】
このため、第２鏡筒６は、付勢リング８ｂによって第１鏡筒３に圧接した状態、すなわち第１鏡筒３と第２鏡筒６の光軸方向間隔が決められた状態に保持される。
【００１０】
そして、調整リング８ａを光軸直交方向に移動させることにより、第２鏡筒６を所望の光軸直交方向位置に移動させ、上記光軸ずれを修正することができる。こうして、調整治具８を用いて第２鏡筒６を両レンズ５，７の光軸ずれを修正した位置に移動させた後に、ビス９を締め付けることにより、第１鏡筒３と第２鏡筒６とを光軸ずれがない状態で結合させることができる。
【００１１】
【発明が解決しようとする課題】
しかしながら、上記従来の光軸ずれ修正方法では、以下に挙げるような欠点がある。
【００１２】
第１に、付勢リング８ｂによって第２鏡筒６を第１鏡筒３に対して付勢する構成を採っているため、この付勢力が第１鏡筒３やカム溝２ａとコロ４との当接部にも加わることで第１鏡筒３やコロ４を変形させてしまった状態で光軸ずれの修正が行われる。従って、付勢リング８ｂによる付勢を解除すると同時にこれらの変形が元の状態に戻ることで再び光軸がずれてしまい、実際には真の光軸ずれを精度良く修正できているとは言い難い。
【００１３】
第２に、ビス９の締め込み時に発生する部品の変形による修正精度の悪化が挙げられる。例えば第１鏡筒３では、ビス９の締め付け摩擦力によるビス９周りの変形（特にセルフタップビスを使用した場合）が発生する。また第２鏡筒６でも、ビス９の頭部による摩擦力によって同じくビス９周りの変形が発生する。そして、これらの変形が発生したままの状態で調整治具８を取り除くと、第２鏡筒６はこれらの変形により生じた応力を緩和する方向に移動してしまうことになり、やはり真の光軸ずれを精度良く修正できているとは言い難い。
【００１４】
第３に、第２鏡筒６を修正中に第１鏡筒３と第２鏡筒６の当接面に発生する摩擦力による第１鏡筒３の変形によっても同じように修正精度の悪化が問題となる。
【００１５】
そこで、本発明は、簡単な構成で、光軸ずれ修正を精度良く行うことのできる光学素子保持装置を提供することを目的としている。
【００１６】
【課題を解決するための手段】
上記の目的を達成するため、本発明では、第１光学素子を保持し、光軸方向に延びる複数の延出部を有する第１保持部材と、第２光学素子を保持する第２保持部材と、該複数の延出部と第２保持部材とを結合させるとともに結合途中にて両保持部材の相対位置の変更を許容する複数の結合部材と、該各結合部材と第２保持部材との間に配置され、少なくとも結合部材による両保持部材の結合途中にて第２保持部材を第１保持部材に対して押圧付勢する複数の付勢部材と、該複数の延出部に対して取り付けられる１つの部材であって、各延出部の変形に対する補強を行う補強部材とを設けて光学素子保持装置を構成している。
【００１７】
これにより、従来のように外部から第２保持部材を第１保持部材に対して押圧付勢する調整治具を用いなくても、第１光学素子と第２光学素子の光軸方向間隔を決めた状態とし、かつ部品変形を防止して精度の良い光軸ずれ修正を行なうことを可能としている。
【００１８】
また、上記光学素子保持装置に、該複数の延出部に対して取り付けられる１つの部材であって、各延出部の変形に対する補強を行う補強部材を設けているので、両保持部材の相対位置変更時および結合部材の結合時における第１保持部材の各延出部の変形による光軸ずれ修正精度の悪化を防止することできる。
また、補強部材を結合部材と第２保持部材との間に配置して、結合部材の結合時におけるこの結合部材と第２保持部材との間の摩擦力の発生を防止するようにして、第２保持部材の変形による光軸ずれ修正の精度の悪化を防止するのが望ましい。そして、この場合、補強部材の第１保持部材に対する光軸直交方向での移動を阻止して、組み込み後も両保持部材と一体となって可動部を構成できるようにするのが望ましい。
【００１９】
さらに、付勢部材を結合部材と補強部材との間に配置して、簡単な構成で効率良く部品の変形を防止するのが望ましい。
また、本発明では、第１光学素子を保持し、光軸方向に延びる複数の延出部を有する第１保持部材と、第２光学素子を保持する第２保持部材と、該複数の延出部と第２保持部材とを結合させるとともに結合途中にて両保持部材の相対位置の変更を許容する複数の結合部材と、該複数の延出部に対して取り付けられる１つの部材であって、該各延出部の変形に対する補強を行う補強部材とを設けて光学素子保持装置を構成している。
さらに、本発明では、第１光学素子を保持すると共に、光軸方向へ延び、それぞれが第１ビス穴を有する複数の延出部を備える第１保持部材と、第２光学素子を保持すると共に、該複数の延出部のそれぞれが有する第１ビス穴に対応する位置に第２ビス穴を有するフランジ部を備える第２保持部材と、第２保持部材に関して第１保持部材とは反対側に配置され、第１保持部材と第２保持部材をビス止めする複数のビスと、該複数のビスのそれぞれと第２保持部材との間に配置され、第２保持部材を第１保持部材に対して押圧付勢する複数の付勢部材と、該複数のビスに対応する複数箇所に第３ビス穴を有し、該複数の延出部に対して取り付けられる１つの部材であって、該各延出部の変形に対する補強を行う補強部材とを設けて光学素子保持装置を構成している。
【００２０】
【発明の実施の形態】
（第１実施形態）
図１には、本発明の第１実施形態であるレンズ保持装置（光学素子保持装置）を備えた一眼レフカメラ用交換レンズ（光学機器）の内部構造を示している。この交換レンズは、第１〜第６群レンズＬ１〜Ｌ６を有する６群構成のレンズであり、ズーム動作によって全てのレンズＬ１〜Ｌ６が光軸方向に移動し、フォーカス動作によって第２群レンズＬ２が光軸方向に移動する。
【００２１】
このとき、第３群レンズＬ３と第６群レンズＬ６とが一体的に移動し、第５群レンズＬ５は光軸方向への移動とは別に、振れ補正動作を行なうために光軸直交方向にも移動する。
【００２２】
１０１はマウントで、カメラ本体に取り付けるためのバヨネット部を有しており、固定筒１０２にビス止め固定されている。１０３は外装環で、マウント１０１と固定筒１０２との間に挟み込まれて固定されている。
【００２３】
外装環１０３には、目盛窓１０４、名称プレート１０５、ＳＷパネル１０６が取り付けられており、ＳＷパネル１０６に設けられたスイッチを切り換えることによって、オートフォーカスや振れ補正などの機能を選択して使用することができる。
【００２４】
１０７は案内筒で、固定筒１０２がビス止めされることでカメラ本体に対して固定部を構成している。案内筒１０７の外周には、バヨネット結合によって光軸回りの回転のみ可能となっているカム筒１０８が嵌合している。これにより、カム筒１０８を回転させると、案内筒１０７に設けられた光軸方向の案内溝とカム筒１０８に設けられたカム溝の交点の移動に従い、第３群レンズＬ３を保持する３群保持枠１０９、第４群レンズＬ４を保持する４群保持枠１１０、振れ補正ユニット１１１および直進筒１１２をそれぞれにビス止めされたコロ１１３〜１１６を介して光軸方向へ移動させることができる。
【００２５】
３群保持枠１０９には、絞り駆動部と絞り羽根部とから構成される電磁絞りユニット１１７がビス止めされている。また３群保持枠１０９の後端には、第６群レンズＬ６を保持する６群保持枠１１８が、補強板１１９およびばね座金１２０とともにビス１４５によってビス止めされている。
【００２６】
４群保持枠１１０の前端にはフック部が設けられており、このフック部には、開放口径の決定および有害光のカットを目的とする移動絞り１２１が前方より弾性結合されている。これにより、３群保持枠１０９を間に挟んだ状態での移動絞り１２１と４群保持枠１１０との結合を容易としている。
【００２７】
振れ補正ユニット１１１は、第５群レンズＬ５を光軸直交方向に駆動可能に保持しており、マグネットおよびコイルとから構成される駆動部によって第５群レンズＬ５を駆動する。
【００２８】
直進筒１１２には、フィルター枠１２２がビス止めされている。
【００２９】
フィルター枠１２２の先端外周には、バヨネット部が、内周にはネジ部がそれぞれ設けられており、それぞれフード、フィルター等のアクセサリーが装着可能となっている。また、フィルター枠１２２には、第１群レンズＬ１を保持する１群保持枠１２３がビス止めされている。
【００３０】
フィルター枠１２２と１群保持枠１２３の当接部はそれぞれ周方向に延びる斜面形状に形成されており、１群保持枠１２３を回転させてフィルター枠１２２に取り付けることにより、１群保持枠１２３のフィルター枠１２２に対する光軸方向の取り付け位置を選択することができる。これにより、製造誤差による広角側と望遠側の焦点位置のずれを補正することができる。
【００３１】
１２４は化粧環で、前面にレンズ名称等の表示が印刷されている。
【００３２】
１２５はフォーカスユニットで、案内筒１０７にビス止めされている。フォーカスユニット１２５は、主として振動波モータと差動機構とで構成されており、振動波モータのロータ回転量とマニュアルリング１２６の回転量に応じたフォーカスキー１２７の回転量を出力する。
【００３３】
フォーカスユニット１２５の前側には、水平および垂直方向の振れの角速度を検出する一対の振動ジャイロ１２８が半田付けされたジャイロ基板１２９が、ゴムダンパー（不図示）を介してビス止めされている。
【００３４】
また、フォーカスユニット１２５から円弧状に延出した突出部の外周には、グレイコードパターンが形成されたエンコーダフレキ１３０が貼り付けられている。
【００３５】
さらに、フォーカスユニット１２５の前側における振動ジャイロ１２８、エンコーダフレキ１３０が設けられていない位相には突出部が設けられており、この突出部にはコロ１３１がビス止めされている。
【００３６】
１３２はズーム操作環で、周方向に設けられている溝にコロ１３１が係合することで、光軸方向の移動が規制された状態で光軸回りの回転のみが可能となっている。ズーム操作環１３２の内周には、カム筒１０８にビス止めされたズームキー１３３が係合する凹部が設けられている。これによりズームキー１３３を介して、ズーム操作環１３２と一体的にカム筒１０８を回転させることができる。
【００３７】
１３４は中間筒で、外周にはズーム操作環１３２の内周に設けられた光軸方向に延びる溝に係合する突起部が、内周にはフィルター枠１２２の外周に設けられた突起部が係合するリード溝が設けられている。このため、ズーム操作環１３２と一体的に回転し、ズーム操作環１３２の回転方向の位置とフィルター枠１２２の光軸方向の位置に応じて光軸方向に進退する。
【００３８】
本交換レンズでは、振動ジャイロ１２８をカメラ本体から離れた位置（フォーカスユニット１２５の前）に配置することで、カメラ本体が発生する振動（シャッター幕走行やミラーアップ・ダウンの振動など）が振動ジャイロ１２８に伝わりにくい構造としており、ケース内に収納するなど従来用いられてきた手法を必要としていない。また、ズーム操作環１３２の光軸方向の位置規制部を振動ジャイロ１２８が設けられていない位相に設けることで、レンズ外径を大きくせずに振動ジャイロを配置することができるようにしている。これらの手法により本交換レンズの小型化が達成されている。
【００３９】
１３５はズーム操作環１３２の外周に巻き付けられたズームゴムで、１３６はズーム操作環１３２の前端部に弾性結合しているネームリングである。１３７はズーム操作環１３２にビス止めされたズームブラシで、エンコーダフレキ１３０のグレイコードパターン上を摺動して、ズーム操作環１３２とエンコーダフレキ１３０の位置関係を検出するために用いられる。
【００４０】
１３８はインナーカム筒で、コロ１３９がコイルばねを介してビス止めされている。このコロ１３９は、案内筒１０７に設けられたカム溝およびカム筒１０８に設けられた光軸方向溝に係合する。このため、インナーカム筒１３８はカム筒１０８と一体的に回転しながら光軸方向に進退する。
【００４１】
１４０は第２群レンズＬ２を保持する２群保持枠で、外周に設けられた突起部がインナーカム筒１３８の内周に設けられたカム溝に係合している。また、２群保持枠１４０から延出したキー部は、フォーカスキー１２７と一体的に回転するよう係合している。
【００４２】
このため、２群保持枠１４０は、カム筒１０８が回転する（フォーカスキー１２７は停止）と、インナーカム筒１３８の光軸方向進退量とインナーカム筒１３８のカム溝の回転に伴う係合点の光軸方向変化量の合計量だけ光軸方向に進退する。
【００４３】
また、フォーカスキー１２７が回転する（カム筒１０８は停止）と、回転しながらインナーカム筒１３８のカム溝との係合点の光軸方向変化量に応じて進退する。本交換レンズでは、これらの機構により、インナーフォーカスにおける焦点距離変化に伴なう焦点位置ずれをメカ的に補正して第２群レンズＬ２を光軸方向に進退させる。
【００４４】
１４１は目盛シートで、フォーカスユニット１２５の出力であるフォーカスキー１２７と一体的に回転し、目盛窓１０４と合わせて焦点位置の表示を行う。
【００４５】
１４２はメイン基板で、フォーカスユニット１２５、電磁絞りユニット１１７、振れ補正ユニット１１１、ジャイロ基板１２９およびエンコーダフレキ１３０と可撓性フレキシブル基板を介して又は直接、電気的に接続され、各種制御を行なう。
【００４６】
１４３はマウント１０１にビス止めされ、メイン基板１４２とフレキシブル基板を介して接続されてた接点ブロックであり、カメラ本体との通信および電源の供給を行なうために設けられている。
【００４７】
１４４は裏ブタで、マウント１０１に弾性結合して有害光をカットしている。以上のように構成された交換レンズでは、ズーム操作環１３２を回転させると、ズームキー１３３を介してカム筒１０８が回転し、上記機構に従い全てのレンズＬ１〜Ｌ６が光軸方向に進退し、ズーミングが行われる。なお、この際、第３群レンズＬ３と第６群レンズＬ６とは一体的に進退する。
【００４８】
一方、オートフォーカス時には振動波モータの駆動により、マニュアルフォーカス時にはマニュアルリング１２６を回転させることにより、それぞれフォーカスキー１２７を回転させる。これにより、上記機構に従い第２群レンズＬ２を進退させ、フォーカシングを行うことができる。
【００４９】
また、振れ補正動作時には、振動ジャイロ１２８の出力およびエンコーダフレキ１３０の出力に応じて振れ補正ユニット１１１を制御し、第５群レンズＬ５を光軸直交面内で、発生している振れによるフィルム面での像の移動を打ち消す方向に駆動する。
【００５０】
次に、第３群および第６群レンズＬ３，Ｌ６を保持して一体的に連結する上記レンズ保持装置の構成について図２を用いて詳しく説明する。このレンズ保持装置では、図１で説明した構成部品のうち、マウント１０１、外装環１０３、マニュアルリング１２６、メイン基板１４２、裏ブタ１４４及びこれらに固定された部品を組み込む前に、固定筒１０２を調整治具本体（不図示）に固定した状態で、第６群レンズＬ６を保持させた６群保持枠（請求の範囲にいう第２保持部材）１１８を、第３群レンズＬ３を保持させた３群保持枠（同、第１保持部材）１０９に光軸直交方向位置を調整して取り付ける。
【００５１】
これにより、第１から第６群レンズＬ１〜Ｌ６およびこれらを保持する各部品の製造誤差によって生ずる光学性能の劣化を修正し、所望の光学性能を得ることができる。
【００５２】
３群保持枠１０９は、第３群レンズＬ３を保持する円筒部からフランジ部を介してレンズ後方、すなわち光軸方向へと延出する３本の足部（請求の範囲にいう延出部）１０９ａを有している。各足部１０９ａの後端には、光軸直交面である６群保持枠との当接面１０９ｂ、ビス下穴１０９ｄおよび一対の円柱状突起１０９ｃが設けられている。
【００５３】
６群保持枠１１８の第６群レンズＬ６を保持する円筒部の外周における３群保持枠１０９の当接面１０９ｂおよびビス下穴１０９ｄに対応する位置の３箇所には、３群保持枠１０９との当接面とビス穴１１８ｂとが設けられたフランジ部１１８ａが形成されている。
【００５４】
補強板（請求の範囲にいう補強部材）１１９は、３つの足部１０９ａを連結するように延びる略中空円盤状の形状をした１つの部材であり、３群保持枠１０９のビス下穴１０９ｄおよび円筒状突起１０９ｃに対応する３箇所の位置に、ビス穴１１９ａ、丸穴１１９ｂおよび長穴１１９ｃがそれぞれ設けられている。
【００５５】
これら部品により構成されるレンズ保持装置は、以下のようにして組み立てられる。まず、３群保持枠１０９の当接面１０９ｂに６群保持枠１１８のフランジ部１１８ａを突き当てる。次に、補強板１１９を６群保持枠１１８のフランジ部１１８ａに乗せた状態で、ネジ軸部回りにばね座金（請求の範囲にいう付勢部材）１２０を取り付けたセルフタップ用ビス（請求の範囲にいう結合部材）１４５によって３箇所でビス止めされる。
【００５６】
次に、本レンズ保持装置における光軸ずれ修正は、ビス１４５を途中まで締め付けた状態、すなわち６群保持枠１１８を３群保持枠１０９に完全に固定できていないが、ばね座金１２０によるばね力によって補強板１１９を介して６群保持枠１１８を３群保持枠１０９に対して押し付けた状態（請求の範囲にいう結合途中）で行われる。
【００５７】
６群保持枠１１８には、従来の調整リング８ａに相当する調整治具（不図示）が取り付けられている。そして、この調整治具を介して６群保持枠１１８を光軸直交面内で移動させる。
【００５８】
ここで、６群保持枠１１８のビス穴１１８ｂの径は、想定される必要ずれ修正量分だけ６群保持枠１１８が移動できるように、ビス１４５のネジ軸部外径に対して大きく設定されている。
【００５９】
また、３群保持枠１０９の円筒状突起１０９ｃの根元位置の当接面１０９ｂに対する光軸方向後方への突出量ｔ１と、６群保持枠１１８のフランジ部１１８ａの厚みｔ２とは、ｔ１＜ｔ２の関係にある。このため、補強板１１９を介して６群保持枠１１８を確実に３群保持枠１０９に押し付けることで、第３群レンズＬ３と第６群レンズＬ６との光軸方向間隔を決めることができる。
【００６０】
さらに、補強板１１９の丸穴１１９ｂおよび長穴１１９ｃに３群保持枠１０９の３本の足部１０９ａに設けられた円筒状突起１０９ｃが嵌合することにより、補強板１１９は３群保持枠１０９に対して両保持枠１０９，１１８の光軸修正面（請求の範囲にいう光軸直交面）内で位置決めされるとともに、３群保持枠１０９の足部１０９ａの変形もそれぞれ規制される。このため、補強板１１９は３群保持枠１０９（さらには６群保持枠１１８）と一体となり、全体で可動部を構成することが可能となる。
【００６１】
以上説明したように、本実施形態のレンズ保持装置では、６群保持枠１１８を３群保持枠１０９に結合させるためのビス１４５を締め付ける途中において、ばね座金１２０のばね力によって６群保持枠１１８と３群保持枠１０９の光軸方向間隔を決めた状態で光軸ずれ修正のために６群保持枠１１８を３群保持枠１０９に対して光軸直交方向に移動させることができるように構成されている。このため、図３で示したように調整治具による外部からの付勢力（付勢リング８ｂおよび付勢ばね８ｃによる付勢力）によって各構成部品が変形してしまうといった不具合が発生しないため、真の光軸ずれを精度良く修正することができる。
【００６２】
なお、本発明の具体的構成は本実施形態で説明したものに限られるものではない。例えば、スペース的に許されるのであれば、ばね座金１２０によるばね力を、ビス１４５の下とは別の位置で発生させることも可能であるし、ばね座金１２０と補強板１１９の位置を入れ換えて構成してもよい。また、ばね座金１２０に代えて、皿ばね、波形座金、板ばね、コイルばねといったばね性を有する部品を用いることも可能である。
【００６３】
また、本実施形態のレンズ保持装置では、ビス１４５を締め付ける際にビス１４５のネジ軸部と３群保持枠１０９のビス下穴１０９ｄとの間やビス１４５の頭部と６群保持枠１１８のフランジ部１１８ａとの間に発生する摩擦力、又は６群保持枠１１８を３群保持枠１０９に対して光軸直交方向に移動させる際に当接面１０９ｂに発生する摩擦力による３群保持枠１０９の足部１１９ａの変形・ねじれや６群保持枠１１８のフランジ部１１８ａのねじれを、以下のように防止している。
【００６４】
第１に、ビス１４５のネジ軸部とＬ３保持枠１０９のビス下穴１０９ｄとの間や６群保持枠１１８と３群保持枠１０９との当接面に発生する摩擦力による３群保持枠１０９の足部１０９ａの変形・ねじれに関しては、補強板１１９によって足部１０９ａの変形を規制することでこれを防止している。
【００６５】
第２に、ビス１４５の頭部と６群保持枠１１８のフランジ部１１８ａとの間に発生する摩擦力によるフランジ部１１８ａのねじれに関しては、３群保持枠１０９との間の相対移動が規制された補強板１１９を間に挟むことによって、上記摩擦力の発生を補強板１１９とビス１４５との間に限定することで防止している。  
【００６６】
また、それぞれの部品変形要因に対してそれぞれ別体の変形防止部材を設けても構わないし、テフロンシート等の摩擦係数の低い部品を変形防止部材とは別に挟み込むようにして摩擦力の発生・伝達を防止するようにしてもよい。
【００６７】
【発明の効果】
以上説明したように、本発明によれば、結合部材と第２保持部材との間、すなわち装置内部に配置された付勢部材の付勢力によって、光軸ずれ修正中における両保持部材に保持された光学素子の間隔を決めるようにしているので、従来のように装置外部から付勢力を加える調整治具を用いた場合のような部品変形を防止して、精度の良い光軸ずれ修正を行なうことができる。
【００６８】
また、補強部材を設けているので、両保持部材の相対位置変更時および結合部材の結合時における第１保持部材の各延出部の変形により光軸ずれ修正精度が悪化することを防止することができる。
【００６９】
また、補強部材を結合部材と第２保持部材との間に設ければ、結合部材と第２保持部材との間での摩擦による第２保持部材の変形により光軸ずれ修正精度が悪化することも防止することができる。
【００７０】
そして、この場合、補強部材の第１保持部材に対する両保持部材の相対位置変更面（光軸直交面）内での移動を規制すれば、組み込み後も両保持部材と一体となって可動部を構成させることができる。
【００７１】
さらに、付勢部材を結合部材と補強部材との間に配置すれば、簡単な構成で効率良く部品の変形を防止することができる。
【図面の簡単な説明】
【図１】本発明の第１実施形態である一眼レフカメラ用交換レンズの断面図。
【図２】上記交換レンズに備えられたレンズ保持装置の構造を示す分解斜視図。
【図３】従来の一眼レフカメラ用交換レンズに備えられたレンズ保持装置における光軸ずれ修正方法を示す一部断面図。
【符号の説明】
１０７  案内筒
１０８  カム筒
１０９  ３群保持枠
１１０  ４群保持枠
１１１  振れ補正ユニット
１１２  直進筒
１１７  電磁絞りユニット
１１８  ６群保持枠
１１９  補強板
１２０  ばね座金
１２２  フィルター枠
１２３  １群保持枠
１２５  フォーカスユニット
１３８  インナーカム筒
１４０  ２群保持枠
【図１】
0003792875.tif 000002
【図２】
0003792875.tif 000003
【図３】
0003792875.tif 000004